(57)【要約】【課題】記録面上に記録画像が目視確認できる状態でホログラム等を含む光学セキュリティ層およびまたは保護層が設けられている記録物でも、光学セキュリティ層およびまたは保護層の記録画像に対する光学遮蔽度に影響を受けないで、常に安定した副情報の復元性能を得ることができる画像処理装置を提供する。【解決手段】可視状態の主画像情報に不可視状態で副情報を埋め込むことで合成画像情報を作成し、作成した合成画像情報を記録媒体に可視状態で記録する画像処理装置において、記録媒体上に設けられるホログラム等を含む光学セキュリティ層および保護層の光学遮蔽度の分布情報を記憶しておくとともに、光学遮蔽度の分布と副情報の埋め込み強度との関係情報を記憶しておき、これら情報に基づき副情報の埋め込み強度を決定し、決定された副情報の埋め込み強度に基づき主画像情報に対して不可視状態で副情報を埋め込むことで合成画像情報を作成し、作成した合成画像情報を記録媒体に可視状態で記録する。【選択図】      図５
2006203787.tif 000002
【特許請求の範囲】
【請求項１】
可視状態の主画像情報に対して不可視状態で副情報を埋め込むことによって合成画像情報を作成し、この作成した合成画像情報を記録媒体の記録面上に可視状態で記録する画像処理装置において、
前記記録媒体の記録面上に記録画像が目視確認できる状態で設けられる光学セキュリティ層およびまたは保護層の当該記録画像に対する光学遮蔽度の分布情報を記憶した第１の記憶手段と、
前記光学遮蔽度の分布と副情報の埋め込み強度との関係情報を記憶した第２の記憶手段と、
前記第１の記憶手段に記憶された光学遮蔽度の分布情報を基にして、前記第２の記憶手段に記憶された光学遮蔽度の分布と副情報の埋め込み強度との関係情報を参照することにより、副情報の埋め込み強度を決定する埋め込み強度処理手段と、
この埋め込み強度処理手段により決定された副情報の埋め込み強度に基づき主画像情報に対して不可視状態で副情報を埋め込むことによって合成画像情報を作成する埋め込み処理手段と、
この埋め込み処理手段により作成された合成画像情報を記録媒体の記録面上に可視状態で記録する記録処理手段と、
を具備したことを特徴とする画像処理装置。
【請求項２】
可視状態の主画像情報に対して不可視状態で副情報を埋め込むことによって合成画像情報を作成し、この作成した合成画像情報を記録媒体の記録面上に可視状態で記録する画像処理装置において、
前記記録媒体の記録面上に記録画像が目視確認できる状態で設けられる光学セキュリティ層およびまたは保護層の当該記録画像に対する光学遮蔽度の分布情報を記憶した第１の記憶手段と、
前記光学遮蔽度の分布と副情報の埋め込み位置との関係情報を記憶した第２の記憶手段と、
前記第１の記憶手段に記憶された光学遮蔽度の分布情報を基にして、前記第２の記憶手段に記憶された光学遮蔽度の分布と副情報の埋め込み位置との関係情報を参照することにより、副情報の埋め込む位置を決定する埋め込み位置処理手段と、
この埋め込み位置処理手段により決定された副情報の埋め込み位置に基づき主画像情報に対して不可視状態で副情報を埋め込むことによって合成画像情報を作成する埋め込み処理手段と、
この埋め込み処理手段により作成された合成画像情報を記録媒体の記録面上に可視状態で記録する記録処理手段と、
を具備したことを特徴とする画像処理装置。
【請求項３】
可視状態の主画像情報に対して不可視状態で副情報を埋め込むことによって合成画像情報を作成し、この作成した合成画像情報を記録媒体の記録面上に可視状態で記録する画像処理方法において、
あらかじめ記憶された前記記録媒体の記録面上に記録画像が目視確認できる状態で設けられる光学セキュリティ層およびまたは保護層の当該記録画像に対する光学遮蔽度の分布情報を基にして、あらかじめ記憶された前記光学遮蔽度の分布と副情報の埋め込み強度との関係情報を参照することにより、副情報の埋め込み強度を決定する埋め込み強度処理ステップと、
この埋め込み強度処理ステップにより決定された副情報の埋め込み強度に基づき主画像情報に対して不可視状態で副情報を埋め込むことによって合成画像情報を作成する埋め込み処理ステップと、
この埋め込み処理ステップにより作成された合成画像情報を記録媒体の記録面上に可視状態で記録する記録処理ステップと、
を具備したことを特徴とする画像処理方法。
【請求項４】
可視状態の主画像情報に対して不可視状態で副情報を埋め込むことによって合成画像情報を作成し、この作成した合成画像情報を記録媒体の記録面上に可視状態で記録する画像処理方法において、
あらかじめ記憶された前記記録媒体の記録面上に記録画像が目視確認できる状態で設けられる光学セキュリティ層およびまたは保護層の当該記録画像に対する光学遮蔽度の分布情報を基にして、あらかじめ記憶された前記光学遮蔽度の分布と副情報の埋め込み位置との関係情報を参照することにより、副情報の埋め込む位置を決定する埋め込み位置処理ステップと、
この埋め込み位置処理ステップにより決定された副情報の埋め込み位置に基づき主画像情報に対して不可視状態で副情報を埋め込むことによって合成画像情報を作成する埋め込み処理ステップと、
この埋め込み処理ステップにより作成された合成画像情報を記録媒体の記録面上に可視状態で記録する記録処理ステップと、
を具備したことを特徴とする画像処理方法。
【請求項５】
可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、
前記光学セキュリティ層およびまたは保護層の記録画像に対する光学遮蔽度に応じて主画像情報に対して埋め込む副情報の埋め込み強度を変化させたことを特徴とする記録物。
【請求項６】
可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、
前記光学セキュリティ層およびまたは保護層の記録画像に対する光学遮蔽度が高い部分に対応する記録画像部分の副情報の埋め込み強度を強くしたことを特徴とする記録物。
【請求項７】
可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、
前記光学セキュリティ層およびまたは保護層の記録画像に対する光学遮蔽度に応じて主画像情報に対して埋め込む副情報の埋め込み位置を変更したことを特徴とする記録物。
【請求項８】
可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、
前記光学セキュリティ層およびまたは保護層の記録画像に対する光学遮蔽度が低い部分に対応する記録画像部分に副情報の重要な要素を割り当ててレイアウトしたことを特徴とする記録物。
【請求項９】
可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、
前記光学セキュリティ層およびまたは保護層の記録画像に対する光学遮蔽度が高い部分に対応する記録画像部分に可視状態の副情報を埋め込んだことを特徴とする記録物。
【発明の詳細な説明】
【技術分野】
【０００１】
本発明は、たとえば、可視状態の主画像情報（人物の顔画像など）に対して別の付加的な副情報（セキュリティ情報など）を不可視状態で埋め込み合成して合成画像情報を作成し、この作成した合成画像情報を記録媒体上に記録する画像処理装置および画像処理方法に関する。
【０００２】
また、本発明は、上記画像処理装置および画像処理方法を用いて作成される記録物に関する。
【背景技術】
【０００３】
たとえば、各種免許証、クレジットカード、会員証などの個人認証用の顔画像が入ったＩＤカード（個人認証媒体）には、様々なセキュリティ技術が適用されている。たとえば、ホログラムフィルムを画像表示体上に形成することで、複写防止などを行なうものが知られている（たとえば、特許文献１参照）。
【０００４】
一方、情報の電子化やインターネットの普及に伴って、画像の偽造・変造防止のために電子透かし、電子署名などの技術が重要視されるようになってきている。特に、主画像情報に付加的な副情報を不可視状態で埋め込む電子透かし技術は、ＩＤカードや著作権情報を埋め込んだ写真に対する不正コピー、偽造、改ざん対策として提案されている。
【０００５】
たとえば、印刷物へ出力される画像データに対して、人間が感知しにくい高い空間周波数成分および色差成分の特性を利用して、データを埋め込む電子透かし挿入方法が開示されている（たとえば、特許文献２参照）。
【０００６】
また、電子透かし埋め込み強度が一定ではなく、被埋め込み画像情報（主画像情報）の内容に応じて埋め込み強度を可変させる電子透かし手法が開示されている（たとえば、特許文献３参照）。
【０００７】
さらに、光学フィルタで確認できる電子透かしの印刷装置が開示されている（たとえば、特許文献４参照）。
【０００８】
これらの技術によれば、埋め込んだ情報は人間に知覚され難いばかりではなく、画像を記録した後でも埋め込んだ情報を復元することができる。
【特許文献１】特許第２８４０８２５号公報
【特許文献２】特開平９−２４８９３５号公報
【特許文献３】特開平１１−３５５５５４号公報
【特許文献４】特開２００１−２６８３４６号公報
【発明の開示】
【発明が解決しようとする課題】
【０００９】
前述のように、ＩＤカードなどの偽変造防止策として、ホログラム等のＯＶＤ（Ｏｐｔｉｃａｌ  Ｖａｒｉａｂｌｅ  Ｄｅｖｉｃｅｓ）を含む光学セキュリティ層が記録面（画像形成面）上に設けられることが多い。偽変造防止効果を高めるには、光学セキュリティ層に強い効果のあるホログラム等を入れることが重要で、一般には強いホログラムを入れるほど、きらきら光る状態になり、記録画像に対する光学遮蔽度が高くなる。
【００１０】
別の偽変造防止技術である電子透かし技術の観点からそれを見ると、偽変造防止の強化のために光学セキュリティ層の光学遮蔽度が高くなると、その下層に存在する記録層（画像形成層）の中の電子透かし情報をスキャナやカメラなどの光学読取デバイスで読取ることが難しくなり、埋め込んだ電子透かし情報の復元が困難になるといった問題が生じる。
【００１１】
そこで、本発明は、記録面上に記録画像が目視確認できる状態でホログラム等を含む光学セキュリティ層およびまたは保護層が設けられている記録物でも、光学セキュリティ層およびまたは保護層の記録画像に対する光学遮蔽度に影響を受けないで、常に安定した副情報の復元性能を得ることができる画像処理装置、画像処理方法および記録物を提供することを目的とする。
【課題を解決するための手段】
【００１２】
本発明の画像処理装置は、可視状態の主画像情報に対して不可視状態で副情報を埋め込むことによって合成画像情報を作成し、この作成した合成画像情報を記録媒体の記録面上に可視状態で記録する画像処理装置において、前記記録媒体の記録面上に記録画像が目視確認できる状態で設けられる光学セキュリティ層およびまたは保護層の当該記録画像に対する光学遮蔽度の分布情報を記憶した第１の記憶手段と、前記光学遮蔽度の分布と副情報の埋め込み強度との関係情報を記憶した第２の記憶手段と、前記第１の記憶手段に記憶された光学遮蔽度の分布情報を基にして、前記第２の記憶手段に記憶された光学遮蔽度の分布と副情報の埋め込み強度との関係情報を参照することにより、副情報の埋め込み強度を決定する埋め込み強度処理手段と、この埋め込み強度処理手段により決定された副情報の埋め込み強度に基づき主画像情報に対して不可視状態で副情報を埋め込むことによって合成画像情報を作成する埋め込み処理手段と、この埋め込み処理手段により作成された合成画像情報を記録媒体の記録面上に可視状態で記録する記録処理手段とを具備している。
【００１３】
本発明の画像処理方法は、可視状態の主画像情報に対して不可視状態で副情報を埋め込むことによって合成画像情報を作成し、この作成した合成画像情報を記録媒体の記録面上に可視状態で記録する画像処理方法において、あらかじめ記憶された前記記録媒体の記録面上に記録画像が目視確認できる状態で設けられる光学セキュリティ層およびまたは保護層の当該記録画像に対する光学遮蔽度の分布情報を基にして、あらかじめ記憶された前記光学遮蔽度の分布と副情報の埋め込み強度との関係情報を参照することにより、副情報の埋め込み強度を決定する埋め込み強度処理ステップと、この埋め込み強度処理ステップにより決定された副情報の埋め込み強度に基づき主画像情報に対して不可視状態で副情報を埋め込むことによって合成画像情報を作成する埋め込み処理ステップと、この埋め込み処理ステップにより作成された合成画像情報を記録媒体の記録面上に可視状態で記録する記録処理ステップとを具備している。
【００１４】
本発明の記録物は、可視状態の主画像情報に対して不可視状態で副情報を埋め込むことによって作成された合成画像情報が記録され、かつ、この合成画像情報の記録面上に記録画像が目視確認できる状態で光学セキュリティ層およびまたは保護層が設けられている記録物であって、前記光学セキュリティ層およびまたは保護層の記録画像に対する光学遮蔽度に応じて主画像情報に対して埋め込む副情報の埋め込み強度を変化させたことを特徴とする。
【発明の効果】
【００１５】
本発明によれば、記録面上に記録画像が目視確認できる状態でホログラム等を含む光学セキュリティ層およびまたは保護層が設けられている記録物でも、光学セキュリティ層およびまたは保護層の記録画像に対する光学遮蔽度に影響を受けないで、常に安定した副情報の復元性能を得ることができる画像処理装置、画像処理方法および記録物を提供できる。
【発明を実施するための最良の形態】
【００１６】
以下、本発明の実施の形態について図面を参照して説明する。  
まず、第１の実施の形態について説明する。  
図１は、第１の実施の形態に係る記録物としてのＩＤカード１０１の具体例を示している。ＩＤカード１０１には、所持者の個人認証用の顔画像１０２が記録（印刷）されている。この顔画像１０２は、後で説明する電子透かし処理方法により、電子透かし情報（副情報）が不可視状態で埋め込まれている。また、ＩＤ番号（固有の識別情報）、氏名、生年月日、有効期限などの個人管理情報１０３が記録されている。これらの個人管理情報１０３を、電子透かし埋め込み処理の副情報として用いることにより、ＩＤカード１０１の顔画像１０２と個人管理情報１０３とが関連付けられるため、ＩＤカード１０１の一部を改ざんしたり、偽造したりすることが困難になり、セキュリティ性を高めることが可能になる。
【００１７】
１０４，１０５，１０６は偽変造防止のための光学パターン、たとえば、ホログラムのようなＯＶＤ（Ｏｐｔｉｃａｌ  Ｖａｒｉａｂｌｅ  Ｄｅｖｉｃｅｓ）であり、光学セキュリティ層に形成されている。
【００１８】
図２は、ＩＤカード１０１の層構成例を模式的に示している。図示するように、一番下に基層２０４があって、その上に順に、記録層（画像形成層）２０３、ホログラム等のＯＶＤを含む光学セキュリティ層および保護層２０２が積層されている。
【００１９】
一般には、これらの層は初めから積層されているのではなく、基層２０４の上に記録装置で画像を形成して記録層２０３が積層され、その後に熱圧着等の処理によって光学セキュリティ層および保護層２０２が形成される。
【００２０】
このＩＤカード１０１を使用する場合は、図２において上側からの視点２０５から記録画像を見ることになるので、記録層２０３の上に存在する光学セキュリティ層および保護層２０２の光学遮蔽度が重要になる。
【００２１】
前述のように、記録層２０３に記録されている画像には不可視状態で電子透かし情報（副情報）が埋め込まれているため、その電子透かし情報を復元する際には記録画像を視点２０５からスキャナやカメラ等の光学読取装置でデジタル情報として読出す必要がある。その場合に、光学セキュリティ層および保護層２０２が着色してあったり、光反射率が高くて記録面の情報が読出せなかったりすると、正しく記録画像を読出すことは難しく、そうなればその中の電子透かし情報を正しく復元できなくなる問題が生じる。
【００２２】
そこで、本発明では、記録層２０３にある記録画像に対する光学セキュリティ層および保護層２０２の光学的な読取りを邪魔する指標として「光学遮蔽度」を定義する。  
図３にその光学遮蔽度の定義を示す。測定面に光源３０１から４５度の角度で光を照射して、垂直に反射した反射光を検知器３０２で測定し、その反射率ρを求める。光学セキュリティ層および保護層２０２がない場合（図３（ａ））とある場合（図３（ｂ））との比を取ることにより、光学遮蔽度Ｃが下記式のように求められる。  
Ｃ＝（１−ρ２／ρ１），  （０〜１の範囲）
すなわち、光学遮蔽度Ｃが高いほど光学セキュリティ層および保護層２０２の影響を受け易く、記録層２０３の記録画像は読取りにくくなり、光学遮蔽度Ｃが低いほど光学セキュリティ層および保護層２０２の影響を受けにくく、記録層２０３の記録画像は読取り易くなることを示す。
【００２３】
次に、本発明で用いられる電子透かし処理（副情報埋め込み処理）について説明する。本実施の形態では、副情報の埋め込み処理には一般に電子透かし処理と呼ばれている手法を用いており、特に色差変調処理を用いた電子透かし処理を利用することができる。この色差変調処理を用いた電子透かし処理の詳細な手法は、たとえば、特開平１１−３５５５５４号公報や特開２００１−２６８３４６号公報などに記述されており、これらを適用することが可能である。
【００２４】
図４は、本発明で用いられる電子透かし処理を含む全体的な処理の流れを模式的に示しており、以下、その処理の流れについて簡単に説明する。なお、この例では、たとえば、特開２００１−２６８３４６号公報に記述されている電子透かし処理を適用しており、詳細については特開２００１−２６８３４６号公報の記述内容を参照されたい。
【００２５】
図４において、主画像情報（被埋め込み画像情報）４０１は個人認証用の顔画像、電子透かし情報（副情報）４０２は主画像情報のセキュリティ性を高める情報または真偽判定に用いる情報、さらには著作権管理に用いる情報（今回は数字の「１７４」）など、鍵情報４０３は電子透かしの埋め込みおよび復元に用いる鍵となる情報である。
【００２６】
最初に、電子透かし処理ステップ４０４において、主画像情報４０１、副情報４０２、鍵情報４０３を用いて電子透かし処理を行なうことで、合成画像情報（電子透かし入り画像情報）４０５を作成する。次に、記録処理ステップ４０６において、作成した合成画像情報４０５を記録媒体上に記録（印刷）する。次に、光学セキュリティ層および保護層作成処理ステップ４０７において、合成画像情報４０５を記録した記録媒体上に光学セキュリティ層および保護層作成処理を行なうことで、ＩＤカード４０８が完成する。
【００２７】
ここで、主画像情報４０１は、ＩＤカードの個人認証用の顔画像や有価証券の図柄、その他の画像であり、白黒濃淡画像でもフルカラー画像でも構わない。また、副情報４０２は、２値のランダムビット列、氏名や誕生日などの個人情報、会社や組織のロゴマークなどを用いることができる。
【００２８】
図５は、第１の実施の形態に係る画像処理装置の構成を概略的に示すものである。この画像処理装置は、あらかじめ光学セキュリティ層および保護層２０２の記録画像に対する光学遮蔽度の分布情報を格納した光学遮蔽度記憶部（第１の記憶手段）５０４、あらかじめ上記光学遮蔽度の分布と電子透かし埋め込み強度との関係情報を格納した光学遮蔽度−埋め込み強度関係記憶部（第２の記憶手段）５０５、光学遮蔽度記憶部５０４に格納された光学遮蔽度の分布情報を基にして、光学遮蔽度−埋め込み強度関係記憶部５０５に格納された光学遮蔽度の分布と電子透かし埋め込み強度との関係情報を参照することで、電子透かし埋め込み強度（副情報の埋め込み強度）を決定する電子透かし埋め込み強度処理部（埋め込み強度処理手段）５０６、埋め込み強度処理部５０６により決定された電子透かし埋め込み強度に基づき主画像情報に対して不可視状態で電子透かし情報（副情報）を埋め込むことによって合成画像情報を作成する電子透かし埋め込み処理部（埋め込み処理手段）５０７、電子透かし埋め込み処理部５０７により作成された合成画像情報を記録媒体の記録面上に可視状態で記録（印刷）する記録処理部（記録処理手段）５０８によって構成されている。
【００２９】
次に、このような構成において動作を説明する。入力情報として、主画像情報５０１、電子透かし情報（副情報）５０２、鍵情報５０３がある。まず、電子透かし埋め込み強度処理部５０６は、あらかじめ光学遮蔽度記憶部５０４に記憶されている光学遮蔽度の分布情報を基にして、あらかじめ光学遮蔽度−埋め込み強度関係記憶部５０５に記憶されている光学遮蔽度の分布と電子透かし埋め込み強度との関係情報を参照することにより、各位置における電子透かしの埋め込み強度が設定（決定）される。
【００３０】
次に、電子透かし埋め込み処理部５０７は、主画像情報５０１、電子透かし情報５０２、鍵情報５０３のおよび電子透かし埋め込み強度処理部５０６により設定された電子透かしの埋め込み強度を用いて、主画像情報５０１に対し電子透かし情報５０２を不可視状態で埋め込む処理を行なうことにより、合成画像情報を作成する。  
次に、記録処理部５０８は、作成された合成画像情報を可視画像として記録媒体に記録処理することにより、記録された合成画像情報５０９が作成される。
【００３１】
図６は、図１で示したＩＤカード１０１の光学セキュリティ層および保護層２０２の光学遮蔽度を示しており、この光学遮蔽度を基にして作成した光学遮蔽度の分布を図７に示すとともに、その光学遮蔽度の分布を格納したテーブル情報を図８に示している。この図８のテーブル情報が光学遮蔽度の分布情報として光学遮蔽度記憶部５０４に格納される。本実施の形態では、便宜的に横方向（ｘ座標）を１５刻み（０〜１４まで）、縦方向（ｙ座標）を９刻み（０〜８まで）としている。したがって、図８には横１５ブロック×縦９ブロック＝全１３５ブロックの光学遮蔽度が記憶されることになる。
【００３２】
図７および図８に示す光学遮蔽度の分布に対応した電子透かし埋め込み強度の分布に対応して電子透かしの埋め込み強度を設定するための光学遮蔽度と埋め込み強度との関係を格納したテーブル情報を図９に示す。この図９のテーブル情報が光学遮蔽度の分布と電子透かし埋め込み強度との関係情報として光学遮蔽度−埋め込み強度関係記憶部５０５に格納される。また、図９の光学遮蔽度−埋め込み強度の関係テーブルより求めた埋め込み強度ランクを図７に示す。なお、本実施の形態の場合、光学遮蔽度が８０％以上では遮蔽度が高すぎるため電子透かしを埋め込まない。
【００３３】
特開２００１−２６８３４６号公報の電子透かし処理方法を本実施の形態に適用した場合は、本実施の形態の埋め込み強度は特開２００１−２６８３４６号公報における「埋め込み色差量」と同じである。図９に本実施の形態の埋め込み強度を埋め込み色差量で表現した一例を示す。埋め込み色差量の絶対値が大きいほど電子透かし埋め込み強度が高いことを示す。この例では、補色の組合わせとして、緑（Ｇ）−マゼンタ（Ｍ）の組合わせを選択している。
【００３４】
本実施の形態の効果を説明するために、光学遮蔽度と電子透かし復元率との関係を模式的に図１０（ａ）および図１０（ｂ）に示す。図１０（ａ）は光学遮蔽度に関係なく電子透かし埋め込み強度を一定にした従来方式のときの例で、図１０（ｂ）は本実施の形態の光学遮蔽度に対応させて電子透かし埋め込み強度を変更させたときの例である。
【００３５】
ここで、電子透かし復元率とは、「正しく復元できた情報量／埋め込んだ情報量」の割合を示し、完全に復元できた場合は１００％になり、何も復元できたかった場合は０％となり、高い値の方が電子透かしの復元性が良いことを示す。
【００３６】
図１０（ａ）に示すように、電子透かし埋め込み強度が一定の場合は、電子透かし復元率（Ｙ軸）は光学遮蔽度（Ｘ軸）の値が０％のときはほぼ１００％となり、完全に埋め込んだ情報を復元できているが、光学遮蔽度の値が増加するにつれて復元率が低下する。この場合、光学遮蔽度が約５０％のときに復元率が７５％となる。
【００３７】
電子透かしの復元の際には、復元処理に加えてエラー訂正処理を併用することが多い。このエラー訂正処理がカバーできるのが（エラー訂正処理方式にもよるが）、おおよそ元の情報量の２５％程度前後である。したがって、図１０（ａ）の場合は光学遮蔽度が５０％以上になると復元率が７５％よりも低下するため、エラー訂正処理を併用しても埋め込んだ情報を完全に復元できないことになる。
【００３８】
図１０（ｂ）に示すように、本実施の形態を用いて光学遮蔽度が高くなるにつれて電子透かし埋め込み強度を強くした場合は、電子透かし復元率は光学遮蔽度の値が０％のときはほぼ１００％となり、完全に埋め込んだ情報を復元できていて、光学遮蔽度の値が増加するにつれて復元率が低下するが、この低下度合いが図１０（ａ）と比較して非常に緩やかになる。この場合、光学遮蔽度が約８０％のときに復元率が７５％となる。したがって、図１０（ｂ）の場合は、光学遮蔽度が８０％以上になると復元率が７５％よりも低下するため、エラー訂正処理を併用しても埋め込んだ情報を完全に復元できないことになる。
【００３９】
このように、光学遮蔽度が高くなるにつれて電子透かし埋め込み強度を強くすることにより、光学遮蔽度が増加したときの電子透かし復元率の低下を防ぐことが可能になり、安定して埋め込んだ情報を取出すことができる。したがって、光学セキュリティ層および保護層の光学的隠蔽度に影響されず、電子透かし情報（副情報）の復元性を高めることが可能になる。
【００４０】
次に、第２の実施の形態について説明する。  
なお、第２実施の形態で用いるＩＤカードの外観や層構成は、前述した第１実施の形態（図１、図２）と同様であるので説明を省略する。
【００４１】
図１１は、第２の実施の形態に係る画像処理装置の構成を概略的に示すものである。この画像処理装置は、あらかじめ光学セキュリティ層および保護層２０２の記録画像に対する光学遮蔽度の分布情報を格納した光学遮蔽度記憶部（第１の記憶手段）９０４、あらかじめ上記光学遮蔽度の分布と電子透かし埋め込み位置との関係情報を格納した光学遮蔽度−埋め込み位置関係記憶部（第２の記憶手段）９０５、光学遮蔽度記憶部９０４に格納された光学遮蔽度の分布情報を基にして、光学遮蔽度−埋め込み位置関係記憶部９０５に格納された光学遮蔽度の分布と電子透かし埋め込み位置との関係情報を参照することで、電子透かし埋め込み位置（副情報の埋め込み位置）を決定する電子透かし埋め込み位置処理部（埋め込み位置処理手段）９０６、埋め込み位置処理部９０６により決定された電子透かし埋め込み位置に基づき主画像情報に対して不可視状態で電子透かし情報（副情報）を埋め込むことによって合成画像情報を作成する電子透かし埋め込み処理部（埋め込み処理手段）９０７、電子透かし埋め込み処理部９０７により作成された合成画像情報を記録媒体の記録面上に可視状態で記録（印刷）する記録処理部（記録処理手段）９０８によって構成されている。
【００４２】
次に、このような構成において動作を説明する。入力情報として、主画像情報９０１、電子透かし情報（副情報）９０２、鍵情報９０３があり、これらは図５の主画像情報５０１、電子透かし情報（副情報）５０２、鍵情報５０３と同様である。
【００４３】
まず、電子透かし埋め込み位置処理部９０６は、あらかじめ光学遮蔽度記憶部９０４に記憶されている光学遮蔽度の分布情報を基にして、あらかじめ光学遮蔽度−埋め込み位置関係記憶部９０５に記憶されている光学遮蔽度の分布と電子透かし埋め込み位置との関係情報を参照することにより、電子透かし埋め込み位置のレイアウト情報が設定（決定）される。
【００４４】
次に、電子透かし埋め込み処理部９０７は、主画像情報９０１、電子透かし情報９０２、鍵情報９０３のおよび電子透かし埋め込み位置処理部９０６により設定された電子透かしの埋め込み位置のレイアウト情報を用いて、主画像情報９０１に対し電子透かし情報９０２を不可視状態で埋め込む処理を行なうことにより、合成画像情報を作成する。  
次に、記録処理部９０８は、作成された合成画像情報を可視画像として記録媒体に記録処理することにより、記録された合成画像情報９０９が作成される。
【００４５】
なお、光学遮蔽度の分布情報として光学遮蔽度記憶部５０４に格納されるテーブル情報は、前述した第１実施の形態の図８と同様であるので説明を省略する。  
図７および図８に示す光学遮蔽度の分布に対応した電子透かし埋め込み位置のレイアウト・ランクを設定するための光学遮蔽度と埋め込み位置ランクとの関係を格納したテーブル情報を図１２に示す。この図１２のテーブル情報が光学遮蔽度の分布と電子透かし埋め込み位置との関係情報として光学遮蔽度−埋め込み位置関係記憶部９０５に格納される。また、図１２の光学遮蔽度−埋め込み位置の関係テーブルより求めた埋め込み位置ランクを図１３に示す。なお、本実施の形態の場合、光学遮蔽度が８０％以上では遮蔽度が高すぎるため電子透かしを埋め込まない。
【００４６】
このように、光学遮蔽度が高い部分は電子透かし埋め込み位置の優先度を下げ、光学遮蔽度が低い部分は電子透かし埋め込み位置の優先度を高くして、光学遮蔽度の低い位置に電子透かし情報を埋め込むようにすることで、常に安定して埋め込んだ情報を取出すことができる。したがって、光学セキュリティ層および保護層の光学的隠蔽度に影響されず、電子透かし情報（副情報）の復元性を高めることが可能になる。
【００４７】
なお、上記説明では、埋め込む電子透かし情報に対して重みを付けなかったが、電子透かし情報は個人認証用情報だったり、会社や組織のロゴマークだったりと様々なものが使用されている。そこで、相対的に重要な情報とあまり重要でない情報とに分けることにより、電子透かし情報自体に重要度という重みを付けて、重要度が高い電子透かし情報は光学遮蔽度の低い領域に優先的にレイアウトし、重要度が比較的低い電子透かし情報は光学遮蔽度の高い領域にレイアウトすることにより、電子透かし情報として埋め込んだ重要な情報を確実に復元することが可能になる。  
これにより、光学セキュリティ層および保護層の光学遮蔽度に影響されて電子透かし情報の復元性が低下しても、重要な情報の復元性は確保される（保険的要素）。
【００４８】
また、電子透かしには、積極的に人に見えるように透かし情報を埋め込んで偽変造防止を行なっているということを利用者に知らせる技術も存在する。たとえば、「積極的に著作権を表示する署名透かし方式の提案、防衛大、画像電子学会誌  第２７巻  第５号  ５０７〜５１２ページ」などがある。  
光学遮蔽度が高い領域というのは、前述のように記録画像を読取りにくい領域なので、逆に偽変造しにくい領域であると言える。そこで、光学遮蔽度が高い領域にあえて「見える電子透かし」を埋め込むことにより、偽変造防止を行なっていることがアピールでき、抑止効果が狙える。  
これにより、光学遮蔽度が高い部分、つまり偽変造しにくい部分にあえて見える電子透かし情報を埋め込むことにより、偽変造抑止効果を狙うことができる。
【００４９】
なお、前記実施の形態では、記録物がＩＤカードの場合について説明したが、本発明はこれに限定されるものではなく、たとえば、預金通帳などの冊子型の個人認証用通帳類であっても同様に適用可能である。
【図面の簡単な説明】
【００５０】
【図１】本発明の第１の実施の形態に係る記録物としてのＩＤカードの具体例を示す平面図。
【図２】ＩＤカードの層構成例を示す模式図。
【図３】光学遮蔽度の定義を説明するための模式図。
【図４】電子透かし処理を含む全体的な処理の流れを示す模式図。
【図５】第１の実施の形態に係る画像処理装置の構成を概略的に示すブロック図。
【図６】光学セキュリティ層および保護層の光学遮蔽度を示す模式図。
【図７】光学遮蔽度の分布と電子透かし埋め込み強度を示す模式図。
【図８】光学遮蔽度の分布を格納したテーブル情報の一例を示す図。
【図９】光学遮蔽度と埋め込み強度との関係を格納したテーブル情報の一例を示す図。
【図１０】光学遮蔽度と電子透かし復元率との関係を示す模式図。
【図１１】第２の実施の形態に係る画像処理装置の構成を概略的に示すブロック図。
【図１２】光学遮蔽度と埋め込み位置ランクとの関係を格納したテーブル情報の一例を示す図。
【図１３】光学遮蔽度の分布と電子透かし埋め込み位置ランクを示す模式図。
【符号の説明】
【００５１】
１０１…ＩＤカード（記録物）、１０２…顔画像、１０３…個人管理情報、１０４，１０５，１０６…光学パターン（ホログラム等のＯＶＤ）、２０２…光学セキュリティ層および保護層、２０３…記録層（画像形成層）、２０４…基層、５０１，９０１…主画像情報、５０２，９０２…電子透かし情報（副情報）、５０３，９０３…鍵情報、５０４，９０４…光学遮蔽度記憶部（第１の記憶手段）、５０５…光学遮蔽度−埋め込み強度関係記憶部（第２の記憶手段）、５０６…電子透かし埋め込み強度処理部（埋め込み強度処理手段）、５０７，９０７…電子透かし埋め込み処理部（埋め込み処理手段）、５０８，９０８…記録処理部（記録処理手段）、９０５…光学遮蔽度−埋め込み位置関係記憶部（第２の記憶手段）、９０６…電子透かし埋め込み位置処理部（埋め込み位置処理手段）。
【図１】
2006203787.tif 000003
【図２】
2006203787.tif 000004
【図３】
2006203787.tif 000005
【図４】
2006203787.tif 000006
【図５】
2006203787.tif 000007
【図６】
2006203787.tif 000008
【図７】
2006203787.tif 000009
【図８】
2006203787.tif 000010
【図９】
2006203787.tif 000011
【図１０】
2006203787.tif 000012
【図１１】
2006203787.tif 000013
【図１２】
2006203787.tif 000014
【図１３】
2006203787.tif 000015